(57)【要約】【課題】  治療部位の形状に近似させた照射野を木目細かく形成すること。【解決手段】  複数枚のリーフ１４１Ａ１〜１４１Ａｎ、１４１Ｂ１〜１４１Ｂｎを密に配列して形成された絞り体群１４１Ａ、１４１Ｂの一対が放射線の照射軸を間にして対峙するように配置され、各絞り体群のリーフを、放射線源を中心に含む同心円上を円弧状の軌道面に沿って各別に移動させることにより、所望の放射線照射野を設定するものにおいて、対峙する絞り体群の内の一方を、他方の絞り体群に対して、リーフの厚み方向へその１枚の厚みの範囲内の寸法だけずらせて配置するようにした。  これにより、多分割絞り装置を大型化せずに、木目細かく治療部位の形状に近似させた照射野を形成することができ、治療空間を狭めることもない。【選択図】      図６
2008206822.tif 000002
【特許請求の範囲】
【請求項１】
それぞれ複数枚のリーフを密に配列して形成された絞り体群の一対が放射線の照射軸を間にして対峙するように配置され、前記各絞り体群のリーフを、放射線源を中心に含む同心円上を円弧状の軌道面に沿って各別に移動させることにより、所望の放射線照射野を設定する多分割絞り装置を備えた放射線治療装置において、
前記多分割絞り装置の対峙する一対の絞り体群の内の一方を、他方の絞り体群に対して、前記リーフの厚み方向へその１枚の厚みの範囲内の寸法だけずらせて配置したことを特徴とする放射線治療装置。
【請求項２】
前記絞り体群の内の一方を、他方の絞り体群に対してずらせる寸法は、前記リーフの厚みの略２分の１であることを特徴とする請求項１に記載の放射線治療装置。
【請求項３】
それぞれ複数枚のリーフを密に配列して形成された絞り体群の一対が放射線の照射軸を間にして対峙するように配置され、前記各絞り体群のリーフを、放射線源を中心に含む同心円上を円弧状の軌道面に沿って各別に移動させることにより、所望の放射線照射野を設定する多分割絞り装置を備えた放射線治療装置において、
前記多分割絞り装置の対峙する一対の絞り体群の内の少なくとも一方を、他方の絞り体群に対して、前記リーフの厚み方向へその１枚の厚みの範囲内の寸法だけ移動可能に構成したことを特徴とする放射線治療装置。
【請求項４】
前記多分割絞り装置の対峙する絞り体群は、放射線源を中心に含む同心円上を、前記リーフの移動方向に対して直交する方向に円弧状の軌道面に沿って移動するものであることを特徴とする請求項３に記載の放射線治療装置。
【発明の詳細な説明】
【技術分野】
【０００１】
本発明は、例えば悪性腫瘍などの疾患の治療に供される放射線治療装置に係り、被検体に対する放射線の照射範囲（以下、放射線照射野という。）を精度よく設定するようにした多分割絞り装置を備えた放射線治療装置に関する。
【背景技術】
【０００２】
放射線治療装置では、放射線防護の見地から、被検体の治療部位に限定的に放射線を照射するように、タングステンなどの放射線を透過させない材料から成る絞り装置が備えられている。この絞り装置は、治療部位の形状に近似させた照射野を、半影を生ずることなくより木目細かく形成することが求められることから、放射線の照射方向に沿って重なるように配置される第１の絞り体と第２の絞り体とから構成される。
【０００３】
そして、放射線源に近い側に設けられる第１の絞り体は、放射線の照射軸を間にして対峙するように配置される一対の単体として形成されており、放射線源を中心に含む同心円上を円弧状の軌道面に沿って互いに接近、離反するように駆動される。一方、放射線源より遠い側に設けられる第２の絞り体は、第１の絞り体の移動方向に対して直交する方向に放射線の照射軸を間にして対峙するように配置される一対のブロックとして形成され、この第２の絞り体の各ブロックは、放射線源を中心に含む同心円上を円弧状の軌道面に沿って互いに接近、離反するように格別に移動する複数枚のリーフを密接して配列したものとなっている。
【０００４】
この第２の絞り体は多分割絞り装置と称され、例えば図７に示すように、数十枚のリーフ１Ａ１〜１Ａｎ、１Ｂ１〜１Ｂｎを密に隣接させて集合体とした一対のブロック１Ａ、１Ｂを、対称的に配置した構成となっており、各リーフ１Ａ１〜１Ａｎ、１Ｂ１〜１Ｂｎは円弧状の軌道面を有し、リーフ毎に設けられた駆動装置によって、各別に円弧状の軌道面に沿って移動可能に駆動されるようになっている。従って、対峙する単体から成る第１の絞り体を、Ｘ方向に互いに接近、離反するように移動させるとともに、対峙するリーフ１Ａ１〜１Ａｎ、１Ｂ１〜１Ｂｎのブロック１Ａ、１Ｂから成る第２の絞り体の各リーフを、それぞれ個別にＹ方向に互いに接近、離反するように移動させることを組合せることによって、治療部位の形状に近似させた不規則形状の照射野Ｕを形成し、なおかつ、対峙するリーフの端面は円弧状の軌道面に沿って移動するので、照射野Ｕに放射線の半影が生ずることはない。
【０００５】
放射線治療装置において、放射線を病巣にのみ照射し健常組織に照射させないようにすることは極めて重要なことであり、その意味において多分割絞り装置は極めて重要な役割を担っている。しかしながら、病巣の形状は多種多様であり、多分割絞り装置によって病巣の形状に合わせた照射野を形作ることもまた困難を極めている。一つの解決策として考えられることは、絞り体ブロック１Ａ、１Ｂのリーフ１Ａ１〜１Ａｎ、１Ｂ１〜１Ｂｎを細分化することである。すなわち、絞り体を構成するリーフの幅を薄くしてリーフの枚数を可能な限り増やすことである。
【０００６】
しかしながら、絞り体を細分化するためにリーフの枚数を増やそうとすると、リーフの幅を狭くしなければならず、リーフは通常２〜３ｍｍ程度の厚みに形成されているので、それよりも薄くしようとすると、そりが生じたりして所望の精度を得ることが困難になるなど製造上の問題が発生することになる。
【０００７】
また、不規則な照射野を形成するために、各リーフはそれぞれが単独に移動できなければならず、そのための駆動手段を各別に設ける必要もあるので、密に隣接して配列されている多数のリーフを個々に移動させるための、支持機構や駆動機構および移動量を検出する検出機構などの配置にも困難を生ずることになってくる。さらに、隣接する各リーフの間からの放射線の漏洩を防止するためには、各隣接するリーフ同士の隙間をできるだけ小さく、例えば０．０５〜０．１ｍｍ程度にする必要があるが、この寸法を確保するための加工精度や組み立て精度を得ることも極めて困難となるものであった。
【０００８】
このような事情から、第２の絞り体を、放射線の照射方向に沿って間隔を置いて２段に配置するとともに、上段に位置する絞り体の隣接する各リーフの接触面と、下段に位置する絞り体の隣接する各リーフの接触面とを、放射線束の広がる方向に沿って重ならないように位置をずらせて配置して構成するようにしたものが提案されている（例えば、特許文献１参照。）。このようにすることによって、リーフの厚みが現状のままであっても、見かけ上リーフの厚みを１／２にしたことに相当するので、照射野の形状をより一層細かくすることが可能となり、照射野の形状を治療部位の形状により近似させて、放射線を健常組織に照射させないようにすることができる。
【特許文献１】特開２００２−２１００２６号公報
【発明の開示】
【発明が解決しようとする課題】
【０００９】
ところで、特許文献１に記載されているものによれば、リーフの幅を薄くしてリーフの枚数を増やすことに伴う問題点をある程度解消することができる。しかし、第２の絞り体を、放射線の照射方向に沿って間隔を置いて２段に配置する構成であるため、リーフを個々に移動させるための支持機構や駆動機構および移動量を検出する検出機構などの全てが、通常の２倍の数だけ必要になり、構造が複雑化するとともに絞り装置自体が大型化するという新たな問題を含むことになるものであった。また、絞り装置が大型化すると放射線治療装置としての治療空間を狭めることにもなるという問題があった。
【００１０】
そこで本発明は、第２の絞り体を、２段にすることなく１段のままとし、さらにリーフの枚数を増加させなくても、治療部位の形状に近似させた照射野を木目細かく形成することのできる多分割絞り装置を備えた放射線治療装置を提供することを目的としてなされたものである。
【課題を解決するための手段】
【００１１】
上述の課題を解決するため、請求項１に記載の発明は、それぞれ複数枚のリーフを密に配列して形成された絞り体群の一対が放射線の照射軸を間にして対峙するように配置され、前記各絞り体群のリーフを、放射線源を中心に含む同心円上を円弧状の軌道面に沿って各別に移動させることにより、所望の放射線照射野を設定する多分割絞り装置を備えた放射線治療装置において、前記多分割絞り装置の対峙する一対の絞り体群の内の一方を、他方の絞り体群に対して、前記リーフの厚み方向へその１枚の厚みの範囲内の寸法だけずらせて配置したことを特徴とする。
【００１２】
また、請求項２に記載の発明は、請求項１に記載の放射線治療装置において、前記絞り体群の内の一方を、他方の絞り体群に対してずらせる寸法は、前記リーフの厚みの略２分の１であることを特徴とする。
【００１３】
また、請求項３に記載の発明は、それぞれ複数枚のリーフを密に配列して形成された絞り体群の一対が放射線の照射軸を間にして対峙するように配置され、前記各絞り体群のリーフを、放射線源を中心に含む同心円上を円弧状の軌道面に沿って各別に移動させることにより、所望の放射線照射野を設定する多分割絞り装置を備えた放射線治療装置において、前記多分割絞り装置の対峙する一対の絞り体群の内の少なくとも一方を、他方の絞り体群に対して、前記リーフの厚み方向へその１枚の厚みの範囲内の寸法だけ移動可能に構成したことを特徴とする。
【００１４】
また、請求項４に記載の発明は、請求項３に記載の放射線治療装置において、前記多分割絞り装置の対峙する絞り体群は、放射線源を中心に含む同心円上を、前記リーフの移動方向に対して直交する方向に円弧状の軌道面に沿って移動するものであることを特徴とする。
【発明の効果】
【００１５】
上記課題を解決するための手段の項にも示したとおり、本発明の特許請求の範囲に記載する各請求項の発明によれば、次のような効果を奏する。
【００１６】
請求項１に記載の発明によれば、リーフの枚数を増やすことなく、リーフの枚数を増加したのと同等の効果が得られ、多様な形状を呈する治療部位の形状により近似させた木目細かい照射野の形成を容易にし、その照射野へ向けて放射線の照射を行なうことにより、健常組織への放射線の照射を防止して、真に治療を必要とする病巣へのみ放射線を照射することができる。よって、被検者を不要な放射線照射から防護し、安全性が向上される。また、多分割絞り装置を大型化することもないので、治療空間を狭めることもないなど、極めて有用な放射線治療装置を提供することができる。
【００１７】
請求項２に記載の発明によれば、リーフの枚数が同じであっても、リーフの厚みの略１／２の幅に相当する分だけ照射野の形状を細かく形成することができる。
【００１８】
請求項３に記載の発明によれば、対峙する一対の絞り体群の内の少なくとも一方を他方の絞り体群に対してリーフの厚み方向へ移動可能にしたので、リーフの枚数を増やすことなく、リーフの枚数を増加したのと同等の効果が得られ、照射野の形状をより木目細かくして所望の形状に近づけることができる。また、移動量の微調整も可能なので照射野の形状をより細かく形成することができる。
【００１９】
請求項４に記載の発明によれば、照射野に放射線の半影が発生するのを防止し、より正確な治療を実施することができる。
【発明を実施するための最良の形態】
【００２０】
以下、本発明に係る多分割絞り装置を備えた放射線治療装置の一実施例について、図１ないし図６を参照して詳細に説明する。なお、これらの図において、同一部分には同一符号を付して示してある。
【００２１】
図１は、本発明に係る多分割絞り装置が適用される放射線治療装置の使用状態を示した外観図であり、先ず、この図を参照して、放射線治療装置の概略的な構成について説明する。
【００２２】
放射線治療装置は、大別すると、放射線源からの放射線を被検体へ照射する放射線照射装置１０と、被検体Ｐを載置して放射線の照射部位の位置決めをする治療台２０と、放射線照射装置１０および治療台２０を始め、放射線治療装置を構成する各機器を有機的に制御する制御装置３０とから構成されている。
【００２３】
放射線照射装置１０は、床に据付られた固定架台１１と、固定架台１１に回転可能に支持された回転架台１２と、回転架台１２の一端から横方向へ延びた先端部に設けられた照射ヘッド１３と、照射ヘッド１３に組み込まれた絞り装置１４とを有している。そして、回転架台１２は固定架台１１の水平な回転中心軸Ｈの周りに、略３６０度にわたって回転可能であり、絞り装置１４も、照射ヘッド１３から照射される放射線の照射軸Ｉの周りに回転可能となっている。なお、回転架台１２の回転中心軸Ｈと放射線の照射軸Ｉとの交点をアイソセンタ（isocenter）ＩＣと称している。また、回転架台１２は、放射線の固定照射はもとより、それ以外の各種の照射態様例えば、回転照射、振子照射、間欠照射などに対応した回転が可能なように構成されている。
【００２４】
一方、治療台２０は、アイソセンタＩＣを中心とする円弧に沿って、矢印Ｇ方向に所定角度範囲にわたって回転可能に床に設置されている。そして、治療台２０の上部には、上部機構２１に支持された被検体Ｐを載置するための天板２２が設けられている。この上部機構２１は、天板２２を矢印ｅで示す前後方向と、矢印ｆで示す左右方向に移動させる機構を備えている。
【００２５】
また、上部機構２１は、昇降機構２３に支持されている。この昇降機構２３は、例えばリンク機構で構成されるもので、矢印ｄで示す上下方向にそれ自体が昇降することによって、上部機構２１および天板２２を所定範囲だけ昇降させるものである。さらに、昇降機構２３は、下部機構２４に支持されている。この下部機構２４は、アイソセンタＩＣから距離Ｌ離れた位置を中心として、矢印Ｆで示す方向に昇降機構２３を回転させる機構を備えている。よって、昇降機構２３とともに、上部機構２１および天板２２が矢印Ｆ方向に所定角度回転可能である。
【００２６】
なお、治療に際して被検体Ｐの位置決めや絞り装置１４による放射線照射野の設定などは、医師などの医療スタッフＤにより制御装置３０に備えられている操作部を操作することによって行われる。
【００２７】
ところで、放射線治療を実施する際には、悪性腫瘍などの治療部位にのみ放射線を集中的に照射して、正常組織にダメージを与えないようにすることが重要である。この、正常組織に極力放射線を照射しないように、放射線照射位置を規制するのが絞り装置１４であり、絞り装置１４は放射線の照射軸Ｉの周りに回転可能に、照射ヘッド１３に組み込まれている。
【００２８】
次に、絞り装置１４について、図２ないし図６を参照して説明する。なお、図２および図３は、絞り装置１４の全体構成の概要を示した側面図であり、これらは、絞り装置１４を互いに直交する方向から見た図となっていて、絞り装置１４の容器は図示されていない。また、図４は、絞り装置１４によって照射野を形成する様子の詳細を説明するために示した平面図である。
【００２９】
絞り装置１４は、タングステンなどの重金属から成る通常２種類の絞り体１４０、１４１が、放射線源Ｓからの放射線の照射方向に重なるように設けられるとともに、各絞り体１４０、１４１は、図２および図３にそれぞれ符号１４０Ａ、１４０Ｂ、１４１Ａ、１４１Ｂを付して示してあるように、対をなすように分割されて対向配置されている。ここで符号Ａ、Ｂは、各絞り体１４０、１４１が対であることを分かり易くするために便宜上付したものである。
【００３０】
さて、放射線源Ｓに近い側に設けられる第１の絞り体１４０Ａ、１４０Ｂは、図２によく示されているように、単体として構成されているとともに、各絞り体１４０Ａ、１４０Ｂの端面を放射線の照射軸Ｉを間にして対峙させるように対向配置され、放射線源Ｓを中心に含む同心円上を円弧状の軌道面に沿って矢印Ｘの方向へ移動して、互いに接近、離反するように、駆動装置１４２Ａ、１４２Ｂによって駆動されるようになっている。
【００３１】
一方、放射線源Ｓから遠い側に設けられる第２の絞り体１４１Ａ、１４１Ｂも、図３によく示されているように円弧状の軌道面を有し、各絞り体１４１Ａ、１４１Ｂの端面を放射線の照射軸Ｉを間にして対峙させるように対向配置され、放射線源Ｓを中心に含む同心円上を円弧状の軌道面に沿って、第１の絞り体１４０Ａ、１４０Ｂに対して直交する方向、すなわち、矢印Ｙの方向に移動して、互いに接近、離反するように、駆動装置１４３Ａ、１４３Ｂによって駆動されるようになっている。ただし、第２の絞り体１４１Ａ、１４１Ｂは、複数のリーフ１４１Ａ１〜１４１Ａｎ、１４１Ｂ１〜１４１Ｂｎを密に隣接させた集合体として構成した多分割絞り装置であり、その詳細は図４に示されている。
【００３２】
すなわち、第２の絞り体１４１Ａ、１４１Ｂの各リーフ１４１Ａ１〜１４１Ａｎ、１４１Ｂ１〜１４１Ｂｎには、それぞれに駆動装置１４３Ａ１〜１４３Ａｎ、１４３Ｂ１〜１４３Ｂｎが設けられており、各駆動装置１４３Ａ１〜１４３Ａｎ、１４３Ｂ１〜１４３Ｂｎによって、リーフ１４１Ａ１〜１４１Ａｎ、１４１Ｂ１〜１４１Ｂｎが各別に放射線源Ｓを中心に含む同心円に沿う円弧状の軌道面に沿って矢印Ｙ方向に接近、離反するように駆動されるようになっている。
【００３３】
従って、第１の絞り体１４０Ａ、１４０Ｂを、Ｘ方向に互いに接近、離反するように移動させるとともに、第２の絞り体１４１Ａ、１４１Ｂの各リーフ１４１Ａ１〜１４１Ａｎ、１４１Ｂ１〜１４１Ｂｎを、それぞれ個別にＹ方向に互いに接近、離反するように移動させることを組合せることによって、図５に示すような、治療部位の形状Ｔに近似させた不規則形状の照射野Ｕが形成される。
【００３４】
ところで、第２の絞り体１４１Ａ、１４１Ｂは、通常左右対称に形成されているとともに、各リーフ１４１Ａ１〜１４１Ａｎ、１４１Ｂ１〜１４１Ｂｎは、同じ位置で向き合うように位置が固定されていた。すなわち、従来の多分割絞り装置では、図７に示して説明したように、各リーフ１Ａ１〜１Ａｎ、１Ｂ１〜１Ｂｎ同士は、互いに同じ位置で向き合うように固定的に対向配置されていた。
【００３５】
これに対して本発明では、図６に示すように、リーフ１４１Ａ１〜１４１Ａｎを有する絞り体１４１Ａと、リーフ１４１Ｂ１〜１４１Ｂｎを有する絞り体１４１Ｂとを、各リーフ１４１Ａ１〜１４１Ａｎ、１４１Ｂ１〜１４１Ｂｎの向き合う端面を、１枚のリーフの厚み（幅）寸法Ｗの範囲内で予めずらせて固定して配置したものである。この図６は、図４におけるリーフ部分を拡大して示したものであり、例えば第２の絞り体の一方１４１Ｂを、他方１４１Ａに対してリーフの厚みＷの１／２だけ同じ方向へずらせて配置した場合を示している。
【００３６】
すなわち、分かり易くするために図６では、一方の絞り体１４１Ｂのリーフ１４１Ｂ１〜１４１Ｂｎを太線で示してあるが、このリーフ１４１Ｂ１〜１４１Ｂｎの端面を、対向するリーフ１４１Ａ１〜１４１Ａｎの端面に対して、Ｗ／２だけずらせたものである。なお、図６では、矢印Ｒで示すように、絞り体１４１Ｂをリーフ１４１Ａｎ側へずらせてあるが、逆に矢印Ｒとは反対向きにリーフ１４１Ａ１側へずらせても構わない。
【００３７】
このようにすることによって、リーフの厚みＷの１／２の幅に相当する分だけ照射野Ｕの形状を細かく形成することができる。ただし、一方の絞り体１４１Ｂを単純にずらせただけでは、放射線を遮断できるようになる部分の他に放射線を透過させることになる部分も生ずるので、新たに放射線を透過させるようになる部分については、各リーフ１４１Ｂ１〜１４１Ｂｎの絞り体１４１Ａ側に向き合う端面位置を調節することによって所望の照射野に近づけるようにすればよい。
【００３８】
なお、第２の絞り体１４１Ａ、１４１Ｂのリーフ１４１Ａ１〜１４１Ａｎ、１４１Ｂ１〜１４１Ｂｎの厚み寸法Ｗは、全て同じであるように説明したが、両端部に位置するリーフ１４１Ａ１、１４１Ａｎ、１４１Ｂ１、１４１Ｂｎについては、それらの内側に位置する他のリーフの厚み（幅）寸法Ｗよりも厚く形成しておくことが好ましい。その理由は、第２の絞り体１４１Ａ、１４１Ｂの一方または両方を相互にずらせた際に、照射野Ｕの端に隙間ができないようにするためである。
【００３９】
本発明は上述の一実施例に限ることなく種々の形態での実施が可能である。例えば、一方の絞り体を他方の絞り体に対してずらせて設置する範囲は、リーフの厚みＷの範囲内であれば適宜に選定してもよい。
【００４０】
また、一方の絞り体を他方の絞り体に対して、リーフの厚み（幅）方向に所定の寸法だけ固定的にずらせて配置することに代えて、例えば第２の絞り体の一方１４１Ｂを、他方の絞り体１４１Ａに対してリーフの厚みＷ分だけ任意に移動させる機構を備えれば、照射野Ｕの形状を所望の形状に近づけるように、微調整を可能にしてより細かく形成することができる。すなわち、図２、図３を参照して説明した照射野を設定するために、Ｙ方向に互いに接近、離反するように移動させる第２の絞り体１４１Ａ、１４１Ｂの一方または両方を、リーフ１４１Ａ１〜１４１Ａｎ、１４１Ｂ１〜１４１Ｂｎの移動方向に対して、直交する方向（すなわち、第１の絞り体１４０Ａ、１４０Ｂが互いに接近、離反するのと同じＸ方向）へ若干移動可能にしようとするものである。
【００４１】
このような第２の絞り体１４１Ａ、１４１Ｂを移動させるためには、第１の絞り体１４０Ａ、１４０Ｂと同様の機構を用いて、放射線源Ｓを中心に含む同心円上を円弧状の軌道面に沿って、第２の絞り体１４１Ａ、１４１Ｂのいずれか一方を矢印Ｘの方向へ移動させるか、夫々に設けたリードスクリューをモータで駆動するようにすればよい。そして、その移動量はエンコーダやポテンショメータなどで検出することによって、容易に位置の検出や調整が可能となる。なお、第２の絞り体１４１Ａ、１４１Ｂの両方を矢印Ｘの方向へ移動させる場合には、互いに反対方向（すなわち、図６に示した矢印Ｒの方向とその逆方向との両方向）へ移動させるようにする。また、対峙する第２の絞り体１４１Ａ、１４１Ｂの、矢印Ｘ方向への移動についても、放射線源Ｓを中心に含む同心円上を円弧状の軌道面に沿って移動するようにしているので、照射野に放射線の半影を生じさせることはない。
【００４２】
以上詳述したように本発明によれば、多分割絞り装置を２段にすることなく、１段のままでリーフの枚数を増加させたのとほぼ同等に、照射野を木目細かい形状に形成することができる。すなわち、多様な形状を呈する治療部位の形状により近似させた照射野の形成を容易にし、その照射野へ向けて放射線の照射を行なうことにより、健常組織への放射線の照射を防止して、真に治療を必要とする病巣へのみ放射線を照射することができる。また、第２の絞り体１４１Ａ、１４１Ｂの一方または両方を移動させる場合に、移動量の微調整を可能とすることによって、照射野Ｕの形状を所望の形状により近づけることができる。よって、被検者を不要な放射線照射から防護し、安全性が向上される。さらに、多分割絞り装置を大型化することもないので、治療空間を狭めることもないなど、極めて有用な放射線治療装置を提供することができる。
【図面の簡単な説明】
【００４３】
【図１】本発明に係る放射線治療装置の使用状態を示した外観図である。
【図２】放射線治療装置に備えられている絞り装置の説明図である。
【図３】図２に直交する方向から見た絞り装置の説明図である。
【図４】本発明に係る放射線治療装置に備えられている多分割絞り装置の一実施例を説明した平面図である。
【図５】多分割絞り装置によって形成される放射線照射野の説明図である。
【図６】本発明の実施例における多分割絞り装置のリーフの配置構成と効果を説明した説明図である。
【図７】従来の多分割絞り装置の対向配置されたリーフを説明した説明図である。
【符号の説明】
【００４４】
１４１Ａ、１４１Ｂ  絞り体
１４１Ａ１〜１４１Ａｎ  リーフ
１４１Ｂ１〜１４１Ｂｎ  リーフ
【図１】
2008206822.tif 000003
【図２】
2008206822.tif 000004
【図３】
2008206822.tif 000005
【図４】
2008206822.tif 000006
【図５】
2008206822.tif 000007
【図６】
2008206822.tif 000008
【図７】
2008206822.tif 000009